(57)【要約】【課題】各種多様な照明環境を造り出すことが可能な照明装置、照明器具および照明制御システムを提供する。【解決手段】照明装置１０は、第１〜第４光源１１〜１４と制御部３０を具備する。第１光源１１は、相対的に相関色温度が高く、相対的に平均演色評価数が高い。第２光源１２は、相対的に相関色温度が高く、相対的に平均演色評価数が低い。第３光源１３は、相対的に相関色温度が低く、相対的に平均演色評価数が高い。第４光源１４は、相対的に相関色温度が低く、相対的に平均演色評価数が低い。制御部３０は、前記各光源の光束、相関色温度、平均演色評価数の少なくとも２つを制御する。【選択図】        図１
2013084544.tif 000002
【特許請求の範囲】
【請求項１】
相対的に相関色温度が高く、相対的に平均演色評価数が高い第１光源と；
相対的に相関色温度が高く、相対的に平均演色評価数が低い第２光源と；
相対的に相関色温度が低く、相対的に平均演色評価数が高い第３光源と；
相対的に相関色温度が低く、相対的に平均演色評価数が低い第４光源と；
前記各光源の光束、相関色温度、平均演色評価数の少なくとも２つを制御する制御部と；
を具備していることを特徴とする照明装置。
【請求項２】
青色発光ダイオードと、青色発光ダイオードによって励起される蛍光体を有し、相関色温
度が５０００Ｋ以上、平均演色評価数が９０以上の第１の発光ダイオードと；
青色発光ダイオードと、青色発光ダイオードによって励起される蛍光体を有し、相関色温
度が５０００Ｋ以上、平均演色評価数が７０以下の第２の発光ダイオードと；
青色発光ダイオードと、青色発光ダイオードによって励起される蛍光体を有し、相関色温
度が３０００Ｋ以下、平均演色評価数が９０以上の第３の発光ダイオードと；
青色発光ダイオードと、青色発光ダイオードによって励起される蛍光体を有し、相関色温
度が３０００Ｋ以下、平均演色評価数が７０以下の第４の発光ダイオードと；
前記各発光ダイオードの光束、相関色温度、平均演色評価数の少なくとも２つを制御する
制御部と；
を具備していることを特徴とする照明装置。
【請求項３】
前記制御部は、平均演色評価数一定条件の基で、５０〜１００Ｋ刻みで相関色温度を変化させたとき、ＪＩＳ演色評価色票Ｎｏ.１〜Ｎｏ.８の色の変化が、色差ΔＥ*ａｂで０．９以下となっていることを特徴とする請求項１または２に記載の照明装置。
【請求項４】
器具本体と；
器具本体に配設された請求項１ないし３いずれか一に記載の照明装置と；
を具備していることを特徴とする照明器具。
【請求項５】
請求項１ないし３いずれか一に記載の照明装置およびまたは請求項４に記載の照明器具を具備していることを特徴とする照明制御システム。
【発明の詳細な説明】
【技術分野】
【０００１】
本発明の実施形態は、各種の照明環境を造り出すことが可能な照明装置、照明器具およ
び照明制御システムに関する。
【背景技術】
【０００２】
各種の照明環境を造り出すため、一般的には蛍光灯の白い光や電球の暖かい光など、光
色が異なりかつ調光可能な複数の光源を備えることにより、光色と明るさを調整すること
が行われている。
【先行技術文献】
【特許文献】
【０００３】
【特許文献１】特開２００１−１８４９１０号公報
【特許文献２】特開２００８−３００１１７号公報
【発明の概要】
【発明が解決しようとする課題】
【０００４】
しかしながら、各種の照明環境を演出するためには、例えば、店で選んだ色の服で外を
歩いた場合に、思っていた色と違って見えるようなことが生じないように、色の見え方（
演色性）も良好にすることが必要である。このため、光色と明るさを制御できるとともに
、色の見え方を如何にして制御し、各種多様な照明環境を造り出すかが重要な課題になっ
ている。
【０００５】
本発明は、上記の課題に鑑みなされたもので、各種多様な照明環境を造り出すことが可
能な照明装置、照明器具および照明制御システムを提供しようとするものである。
【課題を解決するための手段】
【０００６】
本発明の実施形態における照明装置は、第１〜第４光源と制御部を具備する。第１光源
は、相対的に相関色温度が高く、相対的に平均演色評価数が高い。第２光源は、相対的に
相関色温度が高く、相対的に平均演色評価数が低い。第３光源は、相対的に相関色温度が
低く、相対的に平均演色評価数が高い。第４光源は、相対的に相関色温度が低く、相対的
に平均演色評価数が低い。制御部は、前記各光源の光束、相関色温度、平均演色評価数の
少なくとも２つを制御する。
【発明の効果】
【０００７】
本発明によれば、各種多様な照明環境を造り出すことが可能な照明装置、照明器具およ
び照明制御システムを提供することができる。
【図面の簡単な説明】
【０００８】
【図１】本発明の実施形態である照明装置の発光モジュールを示し、（ａ）は正面図    、（ｂ）は裏面図。
【図２】同じく照明装置の光源を拡大して示す断面図。
【図３】同じく照明装置における各光源の分光分布図。
【図４】同じく照明装置の発光モジュールを、一部を拡大して示す正面図。
【図５】同じく照明装置の電気回路図。
【図６】同じく照明装置における器具光束を一定とし、相関色温度３５００Ｋで平均      演色評価数Ｒａ７０〜９５における各光源の調光率を示すグラフ。
【図７】同じく照明装置における器具光束を一定とし、平均演色評価数Ｒａ８０で相        関色温度２８５０Ｋ〜５０００Ｋにおける５０Ｋ刻みの各光源の調光率を示すグ        ラフ。
【図８】同じく照明装置におけるＪＩＳ演色評価試験色の色差ΔＥ*ａｂを示すグラフで、（ａ）は器具光束を一定とし、平均演色評価数Ｒａ８０で相関色温度を５０Ｋ刻みで変化させたときの、ＪＩＳ演色評価試験色Ｎｏ．１〜Ｎｏ．４の色差ΔＥ*ａｂを示すグラフ、（ｂ）は器具光束を一定とし、平均演色評価数Ｒａ８０で相関色温度を５０Ｋ刻みで変化させたときの、ＪＩＳ演色評価試験色Ｎｏ．５〜Ｎｏ．８の色差ΔＥ*ａｂを示すグラフ、（ｃ）は器具光束を一定とし、平均演色評価数Ｒａ８０で相関色温度を１００Ｋ刻みで変化させたときの、ＪＩＳ演色評価試験色Ｎｏ．１〜Ｎｏ．４の色差ΔＥ*ａｂを示すグラフ、（ｄ）は器具光束を一定とし、平均演色評価数Ｒａ８０で相関色温度を１００Ｋ刻みで変化させたときの、ＪＩＳ演色評価試験色Ｎｏ．５〜Ｎｏ．８の色差ΔＥ*ａｂを示すグラフ。
【図９】同じく照明器具を示し、（ａ）は一部を切り欠いて示す斜視図、（ｂ）はベ    ース体の正面図。
【図１０】同じく照明制御システムを示し、照明器具が設置された天井を示す図。
【図１１】同じく照明装置の変形例における発光モジュールを、一部を拡大して示す    正面図。
【発明を実施するための形態】
【０００９】
以下、本発明の実施形態について図に従い説明する。本実施形態は、各種多様な照明環
境を造り出すことが可能な照明ショールームに設置される照明制御システム。この照明制
御システムに用いられる照明装置および照明器具を構成するもので、先ず照明装置の構成
につき説明する。
【００１０】
本実施形態の照明装置１０は、発光ダイオード（以下「ＬＥＤ」と称す）を光源とする
照明装置で、図１（ａ）（ｂ）に示すように、相対的に相関色温度が高く、相対的に平均
演色評価数Ｒａが高い第１光源１１と；相対的に相関色温度が高く、相対的に平均演色評
価数Ｒａが低い第２光源１２と；相対的に相関色温度が低く、相対的に平均演色評価数Ｒ
ａが高い第３光源１３と；相対的に相関色温度が低く、相対的に平均演色評価数Ｒａが低
い第４光源１４と；前記各光源の光束、相関色温度、平均演色評価数Ｒａを制御する制御
部３０で構成する。
【００１１】
上記の第１〜第４光源１１〜１４は、本実施形態では、次のように構成した。
【００１２】
第１光源１１は、青色発光ダイオードと、青色発光ダイオードによって励起される蛍光
体を有し、相関色温度が５０００Ｋ以上、本実施形態では約５０００Ｋ、平均演色評価数
Ｒａが９０以上、本実施形態では約９２の第１のＬＥＤで構成した。
【００１３】
第２光源１２は、青色発光ダイオードと、青色発光ダイオードによって励起される蛍光
体を有し、相関色温度が５０００Ｋ以上、本実施形態では約５０００Ｋ、平均演色評価数
Ｒａが７０以下、本実施形態では約７０の第２のＬＥＤで構成した。
【００１４】
第３光源１３は、青色発光ダイオードと、青色発光ダイオードによって励起される蛍光
体を有し、相関色温度が３０００Ｋ以下、本実施形態では約２７００Ｋ、平均演色評価数
Ｒａが９０以上、本実施形態では約９２の第３のＬＥＤで構成した。
【００１５】
第４光源１４は、青色発光ダイオードと、青色発光ダイオードによって励起される蛍光
体を有し、相関色温度が３０００Ｋ以下、本実施形態では約２７００Ｋ、平均演色評価数
Ｒａが７０以下、本実施形態では約６７の第４のＬＥＤで構成した。
【００１６】
そして、上記第１〜第４の各光源１１〜１４は、ＳＭＤ（Ｓｕｒｆａｃｅ  Ｍｏｕｎｔ
Ｄｅｖｉｃｅ）タイプのＬＥＤからなり、図２に示すように、青色ＬＥＤチップ１５が
回路パターンを有する基板１６上に実装されている。なお、ＬＥＤは、基板に直接実装さ
れる複数個のＬＥＤチップおよびこのＬＥＤチップから照射される光により励起される蛍
光体を含む樹脂で封止して構成されたＣＯＢ（Ｃｈｉｐ  ｏｎ  Ｂｏａｒｄ）タイプであ
ってもよい。
【００１７】
基板１６は、放熱性と剛性を有するアルミニウム等からなる矩形状をなす平板が用いら
れ、基板１６上に電気絶縁層１７を介して陰極側と陽極側の回路パターン１８がそれぞれ
形成されている。回路パターン１８は、銅（Ｃｕ）等で構成されている。
【００１８】
そして、青色ＬＥＤチップ１５の底面電極が一方の電極側の回路パターン１８に電気的
に接続され、上面電極が他方の電極側の回路パターン１８に対して、金線等で構成された
ボンディングワイヤ１９を介して電気的に接続されている。また、基板１６上には樹脂製
のフレーム２０が設けられ、フレームには凹部２０ａが形成されている。フレーム２０は
、例えば白色のＰＢＴ（ポリブチレンテレフタレート）等の合成樹脂で構成され、凹部２
０ａ内の中央部に青色ＬＥＤチップ１５が配置されて収容される。
【００１９】
そして、青色ＬＥＤチップ１５が収容された凹部２０ａ内に蛍光体をシリコーン樹脂や
エポキシ樹脂等の透明樹脂に混合して分散させた蛍光体含有樹脂が塗布または充填されて
蛍光体含有樹脂層２１が形成され、青色ＬＥＤチップ１５は、この蛍光体含有樹脂層２１
によって覆われて構成される。そして、青色ＬＥＤチップ１５から放射される青色光と、
青色ＬＥＤチップ１５によって蛍光体が励起されて放射される光とが混合して白色の光を
放射する。
【００２０】
上述した第１〜第４光源１１〜１４は、それぞれ上述した図２と同様な構成をなしてい
るが、蛍光体含有樹脂層２１に含有される蛍光体がそれぞれ異なっている。すなわち、目
的とする性能を有する蛍光体を選択することによって、必要な相関色温度および平均演色
評価数Ｒａを有する光を得るように構成される。
【００２１】
すなわち、第１光源１１は、図３のグラフ中、曲線１１（細点線）で示すように、ピー
ク波長約４４０ｎｍ近辺の範囲にある青色系で、相関色温度が５０００Ｋ以上、本実施形
態では約５０００Ｋ、平均演色評価数Ｒａが９０以上、本実施形態では、Ｒａ約９２の光
を発光する。
【００２２】
第２光源１２は、図３のグラフ中、曲線１２（太実線）で示すように、ピーク波長が約
４４０ｎｍ近辺の範囲にある青色系で、相関色温度が５０００Ｋ以上、本実施形態では約
５０００Ｋ、平均演色評価数Ｒａが７０以下、本実施形態ではＲａ約７０の光を発光する
。
【００２３】
第３光源１３は、図３のグラフ中、曲線１３（太点線）で示すように、ピーク波長が約
６４０ｎｍ近辺の範囲にある赤色系で、相関色温度が３０００Ｋ以下、本実施形態では約
２７００Ｋ、平均演色評価数Ｒａが９０以上、本実施形態ではＲａ約９２の光を発光する
。
【００２４】
第４光源１４は、図３のグラフ中、曲線１４（細実線）に示すように、ピーク波長が約
５８０ｎｍ近辺の範囲にある黄色系で、相関色温度が３０００Ｋ以下、本実施形態では約
２７００Ｋ、平均演色評価数Ｒａが７０以下、本実施形態ではＲａ約６７の光を発光する
。
【００２５】
上記に構成された第１〜第４の各光源１１〜１４は、それぞれを構成する第１〜第４の
ＬＥＤが、図１（ａ）（ｂ）に示すように、長方形状をなす基板１６に対し、第１〜第４
の各ＬＥＤが配置される。各光源（第１〜第４のＬＥＤ各１つ、すなわち、４つが１セッ
ト）は、１２セットが直列に接続されて用いられている。そして、第１〜第４の各ＬＥＤ
が所定の略等しい間隔を有し、かつ、基板１６の長手方向に沿って略平行に列をなすよう
に配置され、長方形状をなす発光モジュール２２が構成される。上記に構成された本実施
形態の発光モジュール２２の長さ寸法Ｌ１は約２５６ｍｍ、幅寸法Ｗ１は約８４ｍｍであ
る。
【００２６】
また、本実施形態では、各光源１１〜１４は、次のように配置されている。すなわち、
図４に一部を拡大して示すように、長方形状をなす発光モジュール２２を、図の縦方向に
８個単位で見たとき、図中点線枠のグループで示すように、縦に４個の「低Ｒａ」と縦に４個の「高Ｒａ」の各ＬＥＤチップが長手方向に沿って交互になるように配置した。この配置によって、「低Ｒａ」と「高Ｒａ」のＬＥＤチップのグループ、すなわち、略同様の平均演色評価数Ｒａを有するグループが片寄ることがなく、各光源によって造り出された目的の平均演色評価数Ｒａによる略均一な照明を行うことが可能になる。なお、図４中「低Ｒａ」は、平均演色評価数Ｒａが低いＬＥＤチップを示し、「高Ｒａ」は、平均演色評価数Ｒａが高いＬＥＤチップを示す。「Ｌ」は、相関色温度が低いＬＥＤチップを示し、「Ｗ」は、相関色温度が高いＬＥＤチップを示す。
【００２７】
次に、制御部３０は、上記に構成された各光源１１〜１４の光束、相関色温度、平均演
色評価数Ｒａを制御するもので、図５の電気回路図に示すように、１２個のＬＥＤが直列
に接続された第１〜第４光源１１〜１４個々に点灯回路３１が設けられ、この各点灯回路
３１と電源Ｅとの間に制御部３０が設けられる。制御部３０は、マイクロコンピュータ等
で構成され、光束を制御することによって相関色温度、平均演色評価数Ｒａの各要素をそ
れぞれ制御し、さらに光出力を制御して、各種多様な照明環境を造り出す。
【００２８】
例えば、相関色温度３５００Ｋ（電球色近傍）における色の見え方を良好にするために
、平均演色評価数の高いＲａ９５の照明環境を得るためには、次のように制御する。
【００２９】
図６に示すグラフは、器具光束を４０００ｌｍ一定とした場合、相関色温度３５００Ｋ
で平均演色評価数Ｒａ７０〜９５における各光源１１〜１４の調光率、すなわち、光束比
（％）を表したグラフで、平均演色評価数Ｒａ５刻みにおける各光源１１〜１４の光束比
（％）との関係を示したもので、このグラフから明らかなように、
相関色温度が５０００Ｋ、平均演色評価数Ｒａが９２の第１のＬＥＤからなる第１光源
１１（曲線１１）の光束比を約４３％、
相関色温度が５０００Ｋ、平均演色評価数Ｒａが７０の第２のＬＥＤからなる第２光源
１２（曲線１２）の光束比を約０％、
相関色温度が２７００Ｋ、平均演色評価数Ｒａが９２の第３のＬＥＤからなる第３光源
１３（曲線１３）の光束比を約５２％
相関色温度が２７００Ｋ、平均演色評価数Ｒａが６７の第４のＬＥＤからなる第４光源
１４（曲線１４）の光束比を約５％に、
それぞれを調光制御することによって、相関色温度３５００Ｋにおける平均演色評価数
Ｒａ９５の照明環境を造りだすことができる。
【００３０】
同様にして、平均演色評価数Ｒａ８５の照明環境は、第１光源１１の光束比を約３６％
、第２光源１２の光束比を約５％、第３光源１３の光束比を約２２％、第４光源１４の光
束比を約３６％に、それぞれ調光制御することによって造り出すことができる。同様にし
て、各光源１１〜１４の各光束比を調光制御することによって、器具光束を一定とし相関
色温度３５００Ｋ（電球色近辺）における平均演色評価数Ｒａが約７０〜約９５の範囲の
照明環境を造り出すことができる。
【００３１】
さらに、上記と同様にして、図６のグラフに示すように、器具光束を一定とし、相関色
温度、例えば２８５０Ｋ〜５０００Ｋにおける各光源１１〜１４の光束比（％）、すなわ
ち調光率と平均演色評価数Ｒａの関係を抽出することによって、各種の相関色温度におけ
る各種の平均演色評価数Ｒａを有する多様な照明環境を造り出すことが可能になる。しか
も、これら照明環境は各グラフの曲線に沿って連続的にかつ任意に造り出すことも可能に
なる。
【００３２】
また、例えば平均演色評価数Ｒａが８０で、相関色温度５０００Ｋ（昼白色近傍）の照
明環境を得るためには、次のように制御する。
【００３３】
図７に示すグラフは、器具光束を４０００ｌｍ一定とした場合、平均演色評価数Ｒａ８０で相関色温度２８５０Ｋ〜５０００Ｋにおける各光源１１〜１４の調光率、すなわち、光束比（％）を表したグラフで、相関色温度５０Ｋ刻みにおける各光源１１〜１４の光束比（％）との関係を示したもので、このグラフから明らかなように、
相関色温度が５０００Ｋ、平均演色評価数Ｒａが９２の第１のＬＥＤからなる第１光源
１１（曲線１１）の光束比を約４０％、
相関色温度が５０００Ｋ、平均演色評価数Ｒａが７０の第２のＬＥＤからなる第２光源
１２（曲線１２）の光束比を約５５％、
相関色温度が２７００Ｋ、平均演色評価数Ｒａが９２の第３のＬＥＤからなる第３光源
１３（曲線１３）の光束比を約０％
相関色温度が２７００Ｋ、平均演色評価数Ｒａが６７の第４のＬＥＤからなる第４光源
１４（曲線１４）の光束比を約０％に
それぞれ調光制御することによって平均演色評価数Ｒａ８０における相関色温度５００
０Ｋの照明環境を造り出すことができる。
【００３４】
同様にして、相関色温度４０００Ｋの照明環境は、第１光源１１の光束比を約３８％、
第２光源１２の光束比を約２５％、第３光源１３の光束比を約０％、第４光源１４の光束
比を約３８％に、それぞれ調光制御することによって造り出すことができる。同様にして
、各光源の光束比を制御することによって、器具光束を一定とした平均演色評価数Ｒａ８
０における相関色温度が２８５０Ｋ〜５０００Ｋの多様な照明環境を造り出すことができ
る。
【００３５】
さらに、上記と同様にして、図７のグラフに示すように、器具光束を一定とし、平均演
色評価数Ｒａ、例えば７０〜９５における各光源１１〜１４の光束比（％）、すなわち調
光率と相関色温度（Ｋ）の関係を抽出することによって、各種の平均演色評価数Ｒａにお
ける各種の相関色温度を有する多様な照明環境を造り出することが可能になる。しかも、
これら照明環境は各グラフの曲線に沿って連続的にかつ任意に造り出すことも可能になる
。
【００３６】
また、制御部３０では、上記のように、各光源１１〜１４の光束を制御することによっ
て相関色温度（Ｋ）、平均演色評価数Ｒａの各要素をそれぞれ制御し、さらに光出力を制
御して、各種多様な照明環境を任意に造り出すことができる。さらに、これら全ての要素
を制御することなく、光束と相関色温度、光束と平均演色評価数Ｒａ、若しくは相関色温
度と平均演色評価数Ｒａ等、これら要素の内、少なくとも２つの要素を制御することによ
って各種多様な照明環境を造り出すことが可能になる。
【００３７】
また、制御部３０は、相関色温度を変化させたときに、色の見え方が不自然にならないように制御する。すなわち、上記のように、４種類の光源（ＬＥＤ）を用いて調光する場合、特定の相関色温度と平均演色評価数Ｒａを実現する調光率は無限にあるため、例えば、相関色温度を４０００Ｋで平均演色評価数Ｒａ８０の調光率を、相関色温度を４１００Ｋで平均演色評価数Ｒａ８０の調光率に変化させときに、色の見え方が不自然になってしまう場合がある。
【００３８】
そこで、制御部３０によって、４種類の光源（ＬＥＤ）の光束比を連続的になめらかに変化させることで、色の変化を自然に見せるように制御する。ΔＥ*ａｂとは色差（ＪＩＳ  Ｚ  ８７２９「色の表示方法―Ｌ*a*ｂ*表色系及びＬ*ｕ*ｖ*表色系」を参照）のことであり、例えば、相関色温度４０００Ｋ・平均演色評価数Ｒａ８０のＬ*a*ｂ*色空間におけるある物体の色度を（Ｌ*１、ａ*１、ｂ*１）、相関色温度４１００Ｋ・平均演色評価数Ｒａ８０のＬ*a*ｂ*色空間における前記と同等の物体の色度を（Ｌ*２、ａ*２、ｂ*２）とすると、ΔＥ*ａｂ＝（（Ｌ*２−Ｌ*１）2＋（a*２−a*１）2＋（ｂ*２−ｂ*１）2）0.5と書くことができる。ΔＥ*ａｂが低いほど２つの光源条件での物体の色の違いは小さいことになる。ＡＳＴＭ,  “Ｍｅｔｈｏｄ  Ｅ  ９７−５３  Ｔ”,１９５３によれば、厳格な許容際の限界は、ΔＥ*ａｂが０．６以内であり、より実用的には１．２以内としており、その範囲であれば略同一の色に見えるということができる。
【００３９】
図７のように光束比をなめらかに連続的に変化させることによって、ある特定の平均演色評価数Ｒａにおいて、５０Ｋ刻みで相関色温度を変化させたときに、ΔＥ*ａｂを０．６以下、１００Ｋ刻みで相関色温度を変化させたときに、ΔＥ*ａｂを１．２以下の範囲におさめることが可能である。これによって、相関色温度を５０〜１００Ｋ刻みで変化させて行ったときに、物体の色を違和感なく見せることができる。
【００４０】
図８（ａ）（ｂ）に平均演色評価数Ｒａ８０で、５０Ｋ刻みで相関色温度を変化させたときのＪＩＳ演色評価試験色Ｎｏ．１〜Ｎｏ．４およびＮｏ．５〜Ｎｏ．８のΔＥ*ａｂを示す。また、図８（ｃ）（ｄ）に、平均演色評価数Ｒａ８０で、１００Ｋ刻みで相関色温度を変化させたときのＪＩＳ演色評価試験色Ｎｏ．１〜Ｎｏ．４およびＮｏ．５〜Ｎｏ．８のΔＥ*ａｂを示す。なお、図８（ａ）〜（ｄ）のグラフにおいて、試験色Ｎｏ．１〜Ｎｏ．８の表示は、ＪＩＳ演色評価試験色Ｎｏ．１〜Ｎｏ．８を表している。
【００４１】
以上から明らかなように、平均演色評価数Ｒａ一定条件の基で、５０Ｋ〜１００Ｋ刻みで相関色温度を変化させていったとき、ＪＩＳ演色評価色票Ｎｏ.１〜Ｎｏ.８の色の変化が、２８５０Ｋ以上の相関色温度範囲で色差ΔＥ*ａｂが０．９以下となっているように、制御部３０によって制御することによって、色の見え方が不自然に変化することがなく、違和感のない連続的な照明パターンを造りだすことが可能になる。
【００４２】
また、制御部３０は、演算部によって都度演算して任意または連続的に各種の照明環境
を造り出すように制御してもよいが、予め決められた各種の照明パターン、すなわち、実
現可能な光束、平均演色評価数Ｒａ、相関色温度の範囲において、予め各光源１１〜１４
の調光率を計算したテーブルを記憶部に保持しておき、記憶された照明パターンを適宜呼
び出すことによって色の見え方が自然な各種多様な照明環境、シーンを演出するようにしてもよい。記憶させる照明パターンは、例えば、朝・昼・夕の一日の時間帯や季節等の時間的要素、天候や気温等の自然的要素、部屋の使用状況、住宅・オフィス・作業場・工場等の使用環境等の各要素を勘案して、各種の照明パターンを作成するとよい。
【００４３】
上記により、基板１６に実装された第１〜第４の各ＬＥＤからなる光源１１〜１４を有
し、各光源を制御する制御部３０を具備する照明装置１０が構成される。上記に構成され
た照明装置１０は、照明装置１個で構成してもよいが、複数個用いることによって照明器
具が構成される。本実施形態の照明器具は、図９に示すように、照明装置１０を８個使用した天井埋込形の照明器具を構成した。
【００４４】
次に、照明器具の構成につき説明する。照明器具４０は、図９（ａ）（ｂ）に示すように、器具本体４１と、器具本体４１に配設された上記構成の照明装置１０で構成される。
【００４５】
器具本体４１は、略正方形をなす鋼板等からなるベース体４１ａと、ベース体４１ａを
カバーする乳白色の合成樹脂からなるセード４１ｂで構成される。本実施形態における器
具本体４１の縦・横寸法は、約６００ｍｍに構成した。
【００４６】
ベース体４１ａには、上記に構成した照明装置１０が８個設置される。８個の照明装置
は、４個ずつに分けられ、正方形のベース体４１ａの一辺に略平行し、各照明装置１０が
略等しい間隔を有して配置される。各照明装置１０は、並列になるように電気的に接続さ
れ、８個の照明装置１０における各光源１１〜１４の各点灯回路３１が集められ、制御部
３０と共に点灯ケース３１ａ内に収容されベース体４１ａの裏面側に設置される。そして
各照明装置１０は、各点灯回路３１および制御部３０を介して電源Ｅに接続される。
【００４７】
なお、本実施形態において、照明器具４０は、相関色温度が約３０００Ｋ近辺の電球色
で平均演色評価数Ｒａが６０と９０、また相関色温度が約６５００Ｋ近辺の昼光色で平均
演色評価数Ｒａが６０と９０の４種類のＬＥＤを搭載した８個の照明装置１０によって、
可変色・可変演色性器具として構成した。
【００４８】
なお、本実施形態において、制御部３０は、８個の照明装置１０の調光率データを同一
として共通に制御することによって色の見え方が自然な各種多様な照明環境を造り出すように構成したが、８個の照明装置１０の調光率データを異ならせて個別に制御するようにしてもよい。例えば、電球色、昼白色、昼光色等を組み合わせたり、４個の光出力を落として不点灯となした省エネモードを造り出すようにしてもよい。なお、図中、Ｐは部屋の壁面に設置される操作パネル、Ｒはリモコンで、目的とする照明環境を造りだすための無線信号を制御部３０に対して送信するもので、操作パネルＰとリモコンＲの両方を設置しても、いずれか一方を設置するようにしてもよい。また、制御部３０は、操作パネルＰまたはリモコンＲ内に設けられたものであってもよい。
【００４９】
次に、上記に構成された照明器具を用いた照明ショールームに設置される照明制御シス
テムの構成を説明する。本実施形態の照明制御システム５０は、図１０に示すように、上記構成の照明器具４０を９台使用して構成される。
【００５０】
各照明器具４０は、ショールームに設置された部屋の略正方形をなす天井Ｘに、３台ず
つが３列に略等間隔に位置するように設置される。そして、各照明器具４０は、並列にな
るように電気的に接続され、９台の照明器具４０を共通に制御する制御部３０が天井等に
設けられて構成される。また、操作パネルＰが壁面に設置され、リモコンＲが設置されて
照明制御システム５０が構成される。
【００５１】
上記に構成された照明制御システム５０は、ショールームの来場者に対して、ガイドが
リモコンＲまたは操作パネルＰを操作し、色の見え方が自然な色温度と演色性の連続的変化を体感してもらうことができる。特に本実施形態によれば、平均演色評価数Ｒａ、すなわち、演色性を変化させることができ、居住者の顔色が良くなったり悪くなったりすることが顕著に現われ、平均演色評価数Ｒａの変化を実際に体感できる。また、同時に相関色温度も変化させることができ、相関色温度の変化、例えば、電球色から昼白色さらには昼光色に至る空間の雰囲気を体感することもできる。また、予め記憶されたそれぞれの照明環境を、単にリモコンＲのボタンを押す操作によって、簡単かつ確実に造り出すことができる。さらに、各種の照明設計仕様を再現することも可能で、仕様決定の場とすることも可能になり、特に照明ショールームに好適な照明制御システムを提供することが可能になる。
【００５２】
なお、本実施形態の照明制御システムにおいて、制御部３０は、９台の照明器具４０の
調光率データを同一にして共通に制御することによって色の見え方が自然な各種多様な照明環境を造り出すように構成したが、９台の照明器具４０の調光率データを異ならせて個別に制御するようにしてもよい。例えば、電球色、昼白色、昼光色等の器具を組み合わせたり、器具の一部の光出力を落として不点灯となした省エネモードを造り出すようにしてもよい。また、本実施形態において、照明制御システム５０は、照明器具４０のみによって構成したが、照明器具４０と照明装置１０を組み合わせて構成してもよい。さらに、照明装置１０のみによって構成してもよい。
【００５３】
以上、本実施形態において、各光源をＬＥＤで構成したが、ＬＥＤに替えて白熱電球や
蛍光ランプ等を組み合わせて構成しても、ＬＥＤにこれら白熱電球や蛍光ランプ等を組み
合わせて構成してもよい。また、相関色温度を５０００Ｋ以上の光源と３０００Ｋ以下の
光源で構成したが、用途に応じて５０００Ｋ〜３０００Ｋ以内の相関色温度を有する光源で構成してもよい。また、平均演色評価数Ｒａを９０以上の光源と７０以下の光源で構成したが、用途に応じて９０〜７０以内の平均演色評価数Ｒａを有する光源で構成してもよい。
【００５４】
また、各光源の基板への配置は、図１１に一部を拡大して示すように、長方形状をなす
発光モジュール２２を図の縦方向に８個単位で見たとき、図中点線枠のグループで示すよ
うに、相関色温度が低いＬＥＤチップ「Ｌ」と、相関色温度が高いＬＥＤチップ「Ｗ」の
ＬＥＤチップが交互になるように配置した。換言すれば、「Ｌ」と「Ｗ」のＬＥＤチップ
のグループが、図中矢印で示すように対角線上に位置して交差するように配置した。この
配置によって、「Ｌ」と「Ｗ」のＬＥＤチップのグループ、すなわち、略同様の相関色温
度を有するグループが一方に片寄ることがなく、各光源によって造り出された目的の相関
色温度による略均一な照明を行うことが可能になる。なお、図１１中「低Ｒａ」は、平均
演色評価数Ｒａが低いＬＥＤチップを示し、「高Ｒａ」は、平均演色評価数Ｒａが高いＬ
ＥＤチップを示す。「Ｌ」は、相関色温度が低いＬＥＤチップを示し、「Ｗ」は、相関色
温度が高いＬＥＤチップを示す。
【００５５】
また、本実施形態において、照明器具は、上記に例示した照明ショールームに限らず、
店舗、オフィスなど施設・業務用等、さらに住宅用の各種の照明器具、さらには防犯灯・
街路灯・道路灯など屋外用の各種照明器具を構成してもよい。以上、本発明の好適な実施
形態を説明したが、本発明は上述の実施形態に限定されることなく、本発明の要旨を逸脱
しない範囲内において、種々の設計変更を行うことができる。
【符号の説明】
【００５６】
１０  照明装置
１１  第１光源
１２  第２光源
１３  第３光源
１４  第４光源
３０  制御部
４０  照明器具
４１  器具本体
５０  照明制御システム
【図１】
2013084544.tif 000003
【図２】
2013084544.tif 000004
【図３】
2013084544.tif 000005
【図４】
2013084544.tif 000006
【図５】
2013084544.tif 000007
【図６】
2013084544.tif 000008
【図７】
2013084544.tif 000009
【図８】
2013084544.tif 000010
【図９】
2013084544.tif 000011
【図１０】
2013084544.tif 000012
【図１１】
2013084544.tif 000013